(57)【特許請求の範囲】
【請求項１】
内視鏡の処置具挿通チャンネルに挿脱されるシース部の先端部分に取り付けて使用されるクリップ爪ユニットが、開閉自在な複数のクリップ爪と、上記シース部側の部材に係合させるために上記複数のクリップ爪の基端に連結された連結用ワイヤと、上記クリップ爪を強制的に閉じた状態に保持するためのクリップ閉じリングとを含んでいて、上記クリップ爪ユニットを、使用前においては、ユニット単体の状態で保護部材内に収容して、開封可能な滅菌パック内に封入したことを特徴とする内視鏡用クリップ装置。
【請求項２】
上記保護部材が筒状の部材である請求項１記載の内視鏡用クリップ装置。
【請求項３】
上記筒状の保護部材がその内側に収容された上記クリップ爪ユニットに対して軸線方向に移動自在である請求項２記載の内視鏡用クリップ装置。
【請求項４】
上記連結用ワイヤが、上記筒状の保護部材に形成されたすり割りの間に挟持された状態で上記保護部材の外側に導出されている請求項２又は３記載の内視鏡用クリップ装置。
【請求項５】
上記クリップ爪ユニットが、上記複数のクリップ爪の基端寄り部分の間に配置されたクリップ芯金を含んでいる請求項１、２、３又は４記載の内視鏡用クリップ装置。
【発明の詳細な説明】
【０００１】
【発明の属する技術分野】
この発明は、内視鏡の処置具挿通チャンネルを通して止血処置やマーキング等を行うために、先端に配置されたクリップ爪が強制的に閉じられた状態で体内に留置される内視鏡用クリップ装置に関する。
【０００２】
【従来の技術】
内視鏡用クリップ装置は、体内に留置されるクリップ爪ユニットが、内視鏡の処置具挿通チャンネルに挿脱されるシース部の先端部分に取り付けて使用される構成になっており、粘膜面に食い付く状態になるクリップ爪ユニットは滅菌処理をしておく必要がある。
【０００３】
ただし、使用準備作業の毎にクリップ爪ユニットを滅菌していたのでは非常に煩雑なことになるので、クリップ爪ユニットを単体で滅菌パック内に封入して、使用の際に滅菌パックから取り出して使用するようにしている（特開２０００−３３５６３１）。
【０００４】
【発明が解決しようとする課題】
しかし、そのような従来の内視鏡用クリップ装置においては、クリップ爪ユニットがそのままの状態で単純に滅菌パック内に封入されているので、取り扱いの不注意等によって外力が加わると、クリップ爪が変形して使用できなくなってしまう場合がある。
【０００５】
そこで本発明は、滅菌パックに入れられたクリップ爪ユニットが、シース部の先端部分に取り付けられるまでの間に不注意な取り扱いをされても変形せず、使用の必要が生じたときに確実に使用することができる内視鏡用クリップ装置を提供することを目的とする。
【０００６】
【課題を解決するための手段】
上記の目的を達成するため、本発明の内視鏡用クリップ装置は、内視鏡の処置具挿通チャンネルに挿脱されるシース部の先端部分に取り付けて使用されるクリップ爪ユニットを、使用前においては、ユニット単体の状態で保護部材内に収容して、開封可能な滅菌パック内に封入したものである。
【０００７】
なお、保護部材が筒状の部材であってもよく、その場合に、筒状の保護部材がその内側に収容されたクリップ爪ユニットに対して軸線方向に移動自在であるとよい。
【０００８】
また、シース部側の部材に係合される連結用ワイヤがクリップ爪ユニットに連結されていて、その連結用ワイヤが、筒状の保護部材に形成されたすり割りの間に挟持された状態で保護部材の外側に導出されていてもよい。
【０００９】
なお、クリップ爪ユニットが、開閉自在な複数のクリップ爪と、複数のクリップ爪の基端寄り部分の間に配置されたクリップ芯金と、複数のクリップ爪の基端に連結された連結用ワイヤと、クリップを強制的に閉じた状態に保持するためのクリップ閉じリングとを含んでいてもよい。
【００１０】
【発明の実施の形態】
図面を参照して本発明の実施例を説明する。
図２はクリップ爪ユニット１０を示しており、バネ用ステンレス鋼板材等によって形成された例えば三本のクリップ爪１１が、放射状に開閉自在に均等の間隔（即ち略１２０°間隔）で配置されて、基端部１１ａにおいて一体的に連結されている。図２にはクリップ爪１１が閉じた状態が図示されている。
【００１１】
クリップ爪１１の基端部１１ａ寄りの部分には、三つのクリップ爪１１の内側にクリップ芯金１２が配置されている。クリップ芯金１２は、後述する図６にも示されるように先側が径の細い段付きの円柱状に形成されていて、クリップ爪１１部分に波状に形成された開閉駆動部１１ｂの内側に配置されている。
【００１２】
また、クリップ爪１１の基端部１１ａには、クリップ爪１１を後方に引っ張るための連結用ワイヤ１３が連結されている。連結用ワイヤ１３は端部どうしが結び合わされて環状に形成されている。
【００１３】
クリップ爪１１の基端部１１ａの外面にはクリップ閉じリング１４が被嵌されていて、クリップ閉じリング１４をクリップ爪１１の前方に移動させて内部に開閉駆動部１１ｂを引き込むと、クリップ芯金１２との関係によって三つのクリップ爪１１が開いた後閉じるように動作する。
【００１４】
このように構成されたクリップ爪ユニット１０は、ユーザーに対して出荷される際には、図１に示されるように、外縁部に沿って形成された封止部１ａにおいて密閉された滅菌パック１内に封入されている。１ｂは、封止部１ａの開封端である。
【００１５】
ただし、クリップ爪ユニット１０は滅菌パック１内にそのままの状態で配置されているのではなく、例えば四フッ化エチレン樹脂チューブ等のような合成樹脂製又は金属製の筒状部材からなる両端が開放された保護部材５０内に収容されて、その保護部材５０と共に滅菌された状態で滅菌パック１内に封入されている。
【００１６】
したがって、滅菌パック１に収容された状態のクリップ爪ユニット１０は、ある程度不注意な取り扱いをされても変形、損傷等が発生しない。連結用ワイヤ１３は、保護部材５０に形成されたすり割り５１の間に挟持された状態で、滅菌パック１内において保護部材５０の外側に導出されている。
【００１７】
このように、滅菌パック１内に封入されたクリップ爪ユニット１０を使用する際には、図３に示されるように、指先等で開封端１ｂを摘んで滅菌パック１を開封し、保護部材５０内に収容された状態のクリップ爪ユニット１０を滅菌パック１から取り出して、図４に示されるように、保護部材５０のすり割り５１から延出している連結用ワイヤ１３をシース部２０のワイヤ連結フック２４に係合させる。
【００１８】
図４に示されるように、シース部２０は、例えば保護部材５０と同程度の径に形成された可撓性チューブ２１内に、軸線方向に進退自在にリング受けコイル２２が挿通配置され、その軸線位置に進退自在に配置された操作ワイヤ２３の先端にワイヤ連結フック２４が取り付けられた構成になっている。リング受けコイル２２の先端には、クリップ閉じリング１４を受けるためのリング受け筒２５が取り付けられている。
【００１９】
次いで、図５に示されるように、シース部２０の基端側に設けられている図示されていない操作部において操作ワイヤ２３を牽引操作して連結用ワイヤ１３をリング受けコイル２２内に引き込み、それと同時に保護部材５０をリング受けコイル２２に被嵌して行く。
【００２０】
そして、図６に示されるように、操作部側から可撓性チューブ２１を前方へ移動させれば、保護部材５０が可撓性チューブ２１によって押し出されてクリップ爪１１から外れ、使用準備状態になる。したがって、保護部材５０は少なくとも後端部が開放されていればよい。
【００２１】
【発明の効果】
本発明によれば、内視鏡の処置具挿通チャンネルに挿脱されるシース部の先端部分に取り付けて使用されるクリップ爪ユニットを、ユニット単体の状態で保護部材内に収容して、開封可能な滅菌パック内に封入したことにより、滅菌パックに入れられたクリップ爪ユニットが、シース部の先端部分に取り付けられるまでの間に不注意な取り扱いをされても変形する恐れがなくなり、使用の必要が生じたときに確実に使用することができる。
【図面の簡単な説明】
【図１】本発明の実施例のクリップ爪ユニットが滅菌パック内に収容された状態の平面断面図である。
【図２】本発明の実施例のクリップ爪ユニットの平面断面図である。
【図３】本発明の実施例の滅菌パックが開封されようとしている状態の平面図である。
【図４】本発明の実施例のクリップ爪ユニットがシース部側に連結される際の動作を示す平面断面図である。
【図５】本発明の実施例のクリップ爪ユニットがシース部側に連結される際の動作を示す平面断面図である。
【図６】本発明の実施例のクリップ爪ユニットがシース部側に連結される際の動作を示す平面断面図である。
【符号の説明】
１  滅菌パック
１０  クリップ爪ユニット
１１  クリップ爪
１３  連結用ワイヤ
２０  シース部
２４  ワイヤ連結フック
５０  保護部材
５１  すり割り
【図１】
0004098972.tif 000002
【図２】
0004098972.tif 000003
【図３】
0004098972.tif 000004
【図４】
0004098972.tif 000005
【図５】
0004098972.tif 000006
【図６】
0004098972.tif 000007